(57)【要約】【課題】スピーカを内蔵する携帯電話機等の携帯端末に関し、複数方向にスピーカの前面出力と背面出力とを別個に取り出す放音構造を実現した携帯端末を提供する。【解決手段】スピーカ７８を内蔵したケース４８の一面部（背面ケース５２）に形成され、スピーカの前面出力Ｆｏをケース外に導く第１の放音部（放音孔８６）と、ケース内に設置されたケース内部材５４に形成され、スピーカの背面出力Ｂｏをケース内を通過させてケースの他面側に導く導音孔９０と、ケースの他面部（前面ケース５０）に形成され、導音孔よりの背面出力をケース外に導く第２の放音部（放音孔８８）とを備えている。【選択図】        図９
2005006205.tif 000002
【特許請求の範囲】
【請求項１】
スピーカを内蔵したケースの一面部に形成され、前記スピーカの前面出力をケース外に導く第１の放音部と、
前記ケース内に設置されたケース内部材に形成され、前記スピーカの背面出力を前記ケース内を通過させて前記ケースの他面側に導く導音孔と、
前記ケースの他面部に形成され、前記導音孔よりの前記背面出力をケース外に導く第２の放音部と、
を備えることを特徴とする携帯端末。
【請求項２】
前記ケースは第１のケース及び第２のケースを備え、前記第１の放音部は前記スピーカの前面側を覆う第１のケースに形成され、前記第２の放音部は前記第２のケースに形成されたことを特徴とする請求項１記載の携帯端末。
【請求項３】
前記ケース内部材に前記スピーカを支持するスピーカ支持部材を備え、このスピーカ支持部材を前記ケースに内蔵された配線基板に固定したことを特徴とする請求項１記載の携帯端末。
【請求項４】
前記導音孔は、気密性を持つ筒部であることを特徴とする請求項１記載の携帯端末。
【請求項５】
前記スピーカの背面側を覆うスピーカ支持部材に前記スピーカの背面側面積より小さい面積の導音孔を形成したことを特徴とする請求項１記載の携帯端末。
【発明の詳細な説明】
【０００１】
【発明の属する技術分野】
本発明は、携帯電話機、ＰＨＳ（Ｐｅｒｓｏｎａｌ  Ｈａｎｄｙｐｈｏｎｅ  Ｓｙｓｔｅｍ）、その他の情報携帯端末等、スピーカを内蔵する各種の携帯端末に関し、特に、スピーカの出力をケースの複数面部からの放音を可能にした携帯端末の放音構造に関する。
【０００２】
【従来の技術】
携帯電話機には、例えば、図１及び図２に示すように、折り畳み構造を備えたものが使用されている。図１は開いた状態の携帯電話機を示す外観図、図２は閉じた状態の携帯電話機を背面側から見た外観図である。この携帯電話機２は、操作部４と表示部６とをヒンジ機構８で折り畳み可能に構成したものである。操作部４には文字キー等の複数のキーボタン１０が備えられるとともに、吸音孔１２の内部にマイクロホン１４が備えられている。表示部６にはＬＣＤディスプレイ１６が設置されるとともに、放音孔１８の内側にはレシーバ２０が設置されている。また、操作部４の背面側には放音孔２２が形成され、この放音孔２２の内側にはスピーカ２４が内蔵されている。
【０００３】
このような携帯電話機２は、通常、図２に示すように、折り畳まれた状態で携帯され、着信時、スピーカ２４から着信音が発せられるが、通話時には、図１に示すように、開いた状態で使用されてレシーバ２０から通話音が発せられ、使用者に聴取される。
【０００４】
このような携帯電話機や通信端末装置の放音構造に関する先行特許文献には次のようなものがある。
【０００５】
【特許文献１】
特開２００３−６０７５７号公報
【０００６】
【特許文献２】
特開２００３−１３４２０１号公報
【０００７】
特許文献１の図４、図５及びその説明には、携帯電話端末において、表示装置部又は操作装置部に設置されて端末背面側に放音させる音響変換器に対し、表示装置部又は操作装置部の表面側に２つの音響孔を形成して音響変換器の放音面から発せられる音声を、表示面の音響孔から放音させて使用者に聴取できるようにしたものが開示されている。
【０００８】
また、特許文献２には、携帯電話機において、筐体を閉じた状態でも着信音を十分に聴取できる構造として、スピーカの背面側を覆う筐体の側面部に音孔が形成され、閉じられた筐体の側面部から着信音が発せられる構造が開示されている。
【０００９】
【発明が解決しようとする課題】
ところで、携帯電話機をハンズフリー装置として使用する等、スピーカ２４から着信音だけでなく通話音を出力させる場合には、机上に設置して放音孔２２が塞がれると、通話音の音量が低下して聴き取り難く、了解度や明瞭度が低下するおそれがある。また、放音孔２２が塞がれると、着信音レベルが低下する。
【００１０】
このような課題については、着信音用のスピーカ２４とは別に操作部４のキーボタン１０側にスピーカを設置し、通話音を出力させる形態とすることが考えられるが、このようなスピーカを設置することは、２つのスピーカを使用形態によって切り替える切替機構が必要となり、携帯電話機等の携帯端末の構造を複雑化させ、小型化、軽量化を妨げる。かかる課題に対し、特許文献１、２に開示された放音構造では、別のスピーカを設置することなく、着信音をケースの前面や側面から放音させ、使用者に聴取させることが可能である。
【００１１】
しかしながら、携帯電話機等の携帯端末のケース内に設置されるスピーカがそのケースに比較して大きい場合には、特許文献１、２のようにスピーカに隣接し、又は音響変換器の背面側を覆うケースに放音孔を形成することで、着信音等を放音させることが可能であろうが、スピーカが小型化され、携帯端末に対する実装部品の密度が高くなると、ケースに単純に放音孔を形成した程度の放音構造では、十分に放音出力を得ることができない。ケースの内部に設置されている配線基板等が放音を妨げ、ケース内に音が拡散すると、ケース外への放音出力の低下を来たし、着信音とは帯域の異なる通話音声では了解度や明瞭度を悪化させるおそれがある。このような課題は、特許文献１、２に開示されておらず、特許文献１、２に開示された技術で解決できるものではない。
【００１２】
そこで、本発明は、スピーカを内蔵する携帯電話機等の携帯端末に関し、複数方向にスピーカの前面出力と背面出力とを別個に取り出す放音構造を実現した携帯端末を提供することを目的とする。
【００１３】
【課題を解決するための手段】
上記目的を達成するため、本発明の携帯端末は、スピーカ７８を内蔵したケース４８の一面部（背面ケース５２）に形成され、前記スピーカの前面出力Ｆｏをケース外に導く第１の放音部（放音孔８６）と、前記ケース内に設置されたケース内部材５４に形成され、前記スピーカの背面出力Ｂｏを前記ケース内を通過させて前記ケースの他面側に導く導音孔９０と、前記ケースの他面部（前面ケース５０）に形成され、前記導音孔よりの前記背面出力をケース外に導く第２の放音部（放音孔８８）とを備えた構成である。
【００１４】
係る構成によれば、スピーカの前面出力はケースの一面部に形成された第１の放音部から放音され、その背面出力は、ケース内部材に形成された導音孔を通してケースの他面側に導かれ、ケースの他面部に形成された第２の放音部から放音される。携帯端末の使用形態によっては、第１の放音部が塞がれたり、第２の放音部が塞がれたりすることがある。このような放音構造では、第２の放音部が塞がれる場合には第１の放音部からスピーカの前面出力が得られ、第１の放音部が塞がれる場合に第２の放音部からスピーカの背面出力が得られ、使用形態に関係なく、スピーカの出力が取り出されるので、放音レベルが低下することがなく、了解度や明瞭度が低下することもない。この場合、スピーカの前面出力、背面出力は絶対的な出力を想定したものではなく、スピーカの背面側を前面として用いれば、その出力は前面出力となり、スピーカの前面側を背面として用いれば、その出力は背面出力となる。
【００１５】
上記目的を達成するためには、前記ケースは第１のケース（背面ケース５２）及び第２のケース（前面ケース５０）を備え、前記第１の放音部は前記スピーカの前面側を覆う第１のケースに形成され、前記第２の放音部は前記第２のケースに形成された構成としてもよい。第１のケースは、携帯端末の前面ケース又は背面ケースで構成され、第１のケースが背面ケースの場合には第２のケースは前面ケースであり、第１のケースが前面ケースの場合には第２のケースは背面ケースである。従って、本発明の第１の放音部又は第２の放音部は、前面ケース又は背面ケースの何れに形成されてもよい。
【００１６】
上記目的を達成するためには、前記ケース内部材に前記スピーカを支持するスピーカ支持部材（スピーカホルダ６４）を備え、このスピーカ支持部材を前記ケースに内蔵された配線基板６２に固定した構成としてもよい。係る構成とすれば、スピーカがスピーカ支持部材に支持されて配線基板に固定されるので、小型化されたスピーカの実装構造が簡略化される。
【００１７】
上記目的を達成するためには、前記導音孔は、気密性を持つ筒部である構成としてもよい。係る構成により、背面音が導音孔からケース内に漏洩することがなく、効率よく第２の放音部に導かれる。
【００１８】
上記目的を達成するためには、前記スピーカの背面側を覆うスピーカ支持部材に前記スピーカの背面側面積より小さい面積の導音孔を形成した構成としてもよい。係る構成により、スピーカの背面出力の取り出しのために前面出力が損なわれることがない。
【００１９】
【発明の実施の形態】
本発明の携帯端末は、携帯電話機、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ＰＣ（Ｐｅｒｓｏｎａｌ  Ｃｏｍｐｕｔｅｒ  ）、ハンドヘルドＰＣ（ｈａｎｄｈｅｌｄ  Ｐｅｒｓｏｎａｌ  Ｃｏｍｐｕｔｅｒ）、その他の情報携帯端末等を包含するものであり、スピーカを内蔵するものであれば、何れのものでもよい。
【００２０】
そこで、その実施形態として携帯電話機について、図３及び図４を参照して説明する。図３は実施形態に係る携帯電話機であって、開いた状態を示す斜視図であり、図４はその操作部を示す分解斜視図である。
【００２１】
この携帯電話機３０は、折り畳み構造を備えており、操作部３２と表示部３４とをヒンジ部３６で折り畳み可能に構成されている。操作部３２には文字キー等の複数のキーボタン３８が備えられ、表示部３４にはＬＣＤディスプレイ４０が設置されるとともに、放音孔４２及びカメラ４４が設置され、放音孔４２の内側にはレシーバ４６が設置されている。
【００２２】
操作部３２側のケース４８は、第１のケースとして前面ケース５０、第２のケースとして背面ケース５２を接合して構成され、これら前面ケース５０及び背面ケース５２には例えば、合成樹脂の成形体が用いられ、構成材料は金属であってもよい。この場合、第１のケースとして背面ケース５２、第２のケースとして前面ケース５０としてもよい。このケース４８には、図４に示すように、ケース内部材５４として前面ケース５０側からキーパッド５６、ドームキー５８、キーケース６０、配線基板６２、スピーカホルダ６４が内蔵されている。キーパッド５６は、前面ケース５０の各キー窓６６に露出するキーボタン３８を構成する。ドームキー５８は、キーボタン３８の押圧及びその解除によって開閉されるスイッチである。キーケース６０は、ドームキー５８を防護する隔壁を構成する。配線基板６２には、携帯電話機３０の機能部である無線部６８、アンテナ７０、制御部７２、メモリカード着脱部７４、ＳＩＭカード着脱部７６、その他の各種の回路部品が実装されている。また、スピーカホルダ６４は、スピーカ７８等の支持部材であって、スピーカ取付部８０が形成され、このスピーカ取付部８０には両面テープ等の固着部材によってスピーカ７８が固定される。この場合、スピーカホルダ６４は、バイブレータ８２の支持部材をも構成しており、同様に、接着材等でバイブレータ８２が取り付けられている。このように、スピーカ７８やバイブレータ８２が取り付けられたスピーカホルダ６４はねじ等の固定手段により前面ケース５０の内面部に固定される。この場合、スピーカホルダ６４に形成されたスピーカ取付部８０は、例えば、円盤状のスピーカ７８に対応して円環状の囲壁８４が形成されている。また、スピーカホルダ６４は、無線部６８を覆って設置され、表面に形成された金属層を接地してシールド部材をも構成している。
【００２３】
そして、ケース４８の一面部を構成する例えば、背面ケース５２にはスピーカ７８の前面出力用の第１の放音部として放音孔８６が形成され、また、ケース４８の他面部を構成する例えば、前面ケース５０にはスピーカ７８の背面出力用の第２の放音部として矩形の放音孔８８が形成されている。この放音孔８８に対応し、ケース内部材５４のスピーカホルダ６４には導音孔９０Ａ、配線基板６２には導音孔９０Ｂ、キーケース６０には導音孔９０Ｃがそれぞれ形成されており、これら導音孔９０Ａ、９０Ｂ、９０Ｃは合体され、前面ケース５０側の放音孔８８にスピーカ７８の背面出力を導く手段として導音孔９０（図９）を構成する。
【００２４】
また、前面ケース５０の前面側には、図５に示すように、放音孔８８を覆う前面パネル９２が設置され、この前面パネル９２には無数の透孔９４が形成されている。この前面パネル９２は、放音孔８８を覆って設置され、透孔９４によって放音を可能にするとともに、外部からケース内に塵が侵入するのを阻止している。なお、放音孔８８の開口面積Ｓｒは、スピーカ７８の背面面積Ｓｐより小さい面積（Ｓｐ＞Ｓｒ）である。
【００２５】
次に、導音孔９０について、図６〜図９を参照して説明する。図６はスピーカホルダ６４のスピーカ取付部８０を示す図、図７はスピーカホルダ６４及び配線基板６２を背面側から見た部分斜視図、図８はスピーカホルダ６４の構成、配線基板６２及びキーケース６０の導音孔部分を示す分解斜視図、図９は操作部３２の導音構造を示す部分縦断面図である。
【００２６】
スピーカホルダ６４の導音孔９０Ａは、図６に示すように、取り付けられるスピーカ７８の背面部で覆われるスピーカ取付部８０の囲壁８４で包囲された壁面部の近傍に形成され、この実施形態では、スピーカ取付部８０の中心Ｏを中心に同心円の円弧を持つ扇型の透孔である。この導音孔９０Ａの導音面積をＳｇとすると、この導音面積Ｓｇはスピーカ７８の背面面積Ｓｐより小さく設定されている。このため、導音面積Ｓｇから取り出されるスピーカ７８の背面出力を極端に低下させることはない。
【００２７】
また、図７に示すように、スピーカ７８の背面部には円形のスピーカユニット部９６が突出し、このスピーカユニット部９６を包囲する筐体部９８には背面出力を取り出すための複数の音孔１００が環状に形成されている。また、筐体部９８に形成された端子部１０１には端子板１０２が取り付けられ、スピーカユニット部９６のリード線１０４、１０６が引き出されている。そして、スピーカホルダ６４の導音孔９０Ａは、スピーカホルダ６４の背面側に形成された囲壁部１０８に開口されており、囲壁部１０８は、配線基板６２の表面に密着して取り付けられる。スピーカホルダ６４には取付部１１０、１１２が形成され、例えば、ねじ１１４を配線基板６２の切欠部１１６、キーケース６０の透孔１１８（図４）等を通過させて前面ケース５０の固定部１２０、１２２（図４）のねじ孔に締め付けて固定される。この固定によって、スピーカホルダ６４の囲壁部１０８の当接面１２４が配線基板６２の表面に密着する。そして、配線基板６２に形成された導音孔９０Ｂは、スピーカホルダ６４の導音孔９０Ａと合致する位置に形成され、スピーカホルダ６４の密着により、導音孔９０Ａ、９０Ｂが気密性を以て連通させることができる。
【００２８】
また、キーケース６０には、図８に示すように、囲壁部１２６を以て導音孔９０Ｃが各導音孔９０Ａ、９０Ｂに対応する位置に形成されている。このキーケース６０が配線基板６２と前面ケース５０の背面部との間に挟み込まれて固定されると、導音孔９０Ｃを形成する囲壁部１２６の当接面１２８が配線基板６２に密着し、導音孔９０Ｃと導音孔９０Ｂが連通する。１３０は、ヒンジ部３６の軸受部である。
【００２９】
また、スピーカホルダ６４は、ホルダ本体部６５と蓋部６７とを備えており、ホルダ本体部６５と蓋部６７は例えば、合成樹脂の成形体で構成されている。このスピーカホルダ６４において、ホルダ本体部６５のスピーカ取付部８０にはスピーカ７８の周面部の一部を包囲する囲壁８４が形成されているとともに、筐体部９８を嵌合させるための凹部８１が形成され、さらに、囲壁８４は筐体部９８の端子部１０１及び端子板１０２を貫通させる貫通部８３が形成されている。また、スピーカ取付部８０には端子板１０２に対応する凹部８５が形成され、この凹部８５に端子板１０２が嵌合される。
【００３０】
そして、このホルダ本体部６５には、スピーカ７８の背面空間を拡大するための共鳴空間部８７が形成されており、この共鳴空間部８７は、囲壁８４に連続する囲壁部８９と、この囲壁部８９を塞ぐ蓋部６７とで構成された閉塞空間である。蓋部６７にはスピーカ取付部８０の形状、即ち、スピーカ７８の筐体部９８の周面形状に対応する円弧状の切欠部９１が形成され、この切欠部９１とスピーカ７８の筐体部９８とが接合される。また、この蓋部６７と囲壁部８９とを位置合わせ及び係合させる構成として、囲壁部８９の頂部には例えば、円柱状の複数の嵌合突部９３が形成され、これら嵌合突部９３に挿入される円形状の複数の嵌合凹部９５が蓋部６７に形成されている。蓋部６７と囲壁部８９とはこれら嵌合突部９３と嵌合凹部９５との嵌合により位置合わせされて固定されるとともに、囲壁部８９の頂部と蓋部６７が粘着テープ等の接着材で封止される。係る構成により、スピーカホルダ６４には、スピーカ取付部８０に連通する共鳴空間部８７がスピーカ７８の背面部に形成され、スピーカ７８の背面出力が共鳴空間部８７に共鳴するように構成されている。
【００３１】
そして、図９に示すように、前面ケース５０と背面ケース５２とが接合されてケース４８が形成され、その内部空間にはケース内部材５４が内蔵される。ケース内部材５４であるキーパッド５６、ドームキー５８、キーケース６０、配線基板６２及びスピーカホルダ６４は密着して接合され、各導音孔９０Ａ、９０Ｂ、９０Ｃは連通して導音孔９０が形成される。各部材が密着していることから、導音孔９０は複数の導音孔９０Ａ、９０Ｂ、９０Ｃの連結体であるが、気密性を持つ壁面で構成された筒部として構成される。
【００３２】
この導音孔９０は、スピーカホルダ６４に支持されたスピーカ７８の背面部に連通し、その背面出力を前面ケース５０の放音孔８８に導く。この場合、スピーカホルダ６４の導音孔９０Ａの入口部に形成されたテーパ面１３２は、スピーカ７８の背面出力Ｂｏの案内部として機能している。この実施形態では、前面ケース５０に形成された放音孔８８の位置は導音孔９０と異なり、僅かに変移してキーボタン３８側に放音孔８８が形成されているとともに、導音孔９０の導音面積Ｓｇより広い放音面積Ｓｒに設定されている（Ｓｒ＞Ｓｇ）。前面ケース５０の背面側には、導音孔９０に臨む突壁部１３４が形成され、キーケース６０の前面側には導音孔９０Ｃを拡開する傾斜面からなるホーン部１３６が形成されている。このホーン部１３６と導音孔９０との境界部分には狭隘部１３８が形成されている。導音孔９０を通過した背面出力Ｂｏは、狭隘部１３８を経て前面側に拡開するホーン部１３６で拡声される。
【００３３】
そして、背面ケース５２の放音孔８６にはスピーカ７８の前面部が臨ませられ、この前面部と背面ケース５２の放音孔８６との間には防護ネット１４０が設置され、放音孔８６からケース４８内に塵が侵入するのを防止している。防護ネット１４０は弾性体からなる支持リング１４２に取り付けられており、この支持リング１４２は背面ケース５２の放音孔８６を包囲して形成された囲壁１４４内に設置されて背面ケース５２に粘着テープ等の接着材によって固定されている。
【００３４】
このような構成によれば、スピーカ７８の前面出力Ｆｏは背面ケース５２の放音孔８６から放音され、また、スピーカ７８の背面出力Ｂｏはケース内部材５４に遮られることなく、導音孔９０を通して効率よく前面ケース５０の放音孔８８に導かれ、放音される。導音孔９０の導音面積Ｓｇはスピーカ７８の背面面積Ｓｐより小さく、導音孔９０による音圧ロスは低く、前面出力Ｆｏを損なうことはなく、前面出力の音圧レベルを低下させることはない。
【００３５】
また、導音孔９０を通過した背面出力Ｂｏは、ケース内部材５４により導音孔９０が気密性を持つ筒部を構成しているので、ケース４８内に音漏れを生ずることなく、効率よく、放音孔８８に導かれる。また、キーケース６０の前面部に設けられたホーン部１３６で拡声されて取り出され、十分な音量レベルが実現される。
【００３６】
そこで、操作部３２側に表示部３４を折り畳むことにより、放音孔８８が表示部３４で塞がれている場合には、操作部３２の背面側の放音孔８６からスピーカ７８の前面出力Ｆｏが得られる。通常使用時の着信音を聴取できる。
【００３７】
また、図３に示すように、操作部３２と表示部３４とを開き、操作部３２を例えば、机上に設置して操作部３２の背面側の放音孔８６が塞がれる場合には、操作部３２の前面側の放音孔８８からスピーカ７８の背面出力Ｂｏを得ることができ、十分な音量で着信音や通話音を聴取できる。
【００３８】
この場合、ハンズフリーによって通話する場合、放音孔８８からの通話音の聴取により通話することができる。また、カメラ４４を利用して通話者等の撮影映像を送りながら、通話をすることができる。映像と音声とを記録する場合にも利用することができる。
【００３９】
また、この携帯電話機３０では、スピーカ７８をスピーカホルダ６４に支持させてケース４８に設置しているので、小型軽量化されたスピーカ７８の位置設定を高精度に行うことができ、ケース内部材５４に形成された導音孔９０とスピーカ７８との位置を高精度に設定することができ、背面出力Ｂｏを操作部３２の前面側の放音孔８８に導き、拡声して取り出すことができる。
【００４０】
次に、以上述べた本発明の携帯端末について、その実施形態の変形例、その他の技術的な拡張事項等を以下に列挙する。
【００４１】
（１）  上記実施形態では、携帯電話機を例に取って説明したが、本発明は、ＰＤＡ、ＰＨＳ、ＰＣ、ハンドヘルドＰＣ、その他の情報携帯端末、ディジタルカメラ等、スピーカを備える各種の携帯端末に適用できるものであり、実施形態の携帯電話機に限定されるものではない。
【００４２】
（２）  上記実施形態では、操作部３２側にスピーカ７８を設置した携帯電話機を例に取って説明したが、本発明は、スピーカ７８を表示部３４側に設置した場合にも適用できる。
【００４３】
（３）  上記実施形態では、スピーカ７８の前面出力Ｆｏを放音孔８６側で取り出すように構成したが、スピーカ７８の背面出力Ｂｏを放音孔８６側で取り出し、その前面出力Ｆｏを導音孔９０側に加え、放音孔８８から放音するように構成してもよい。従って、スピーカ７８の前面出力Ｆｏ、背面出力Ｂｏは絶対的な出力を想定したものではなく、スピーカ７８の背面側を前面として用いれば、その出力は前面出力となり、スピーカ７８の前面側を背面として用いれば、その出力は背面出力となる。
【００４４】
（４）  上記実施形態では、第１及び第２のケース、即ち、前面ケース５０及び背面ケース５２で構成されるケース４８を例示したが、本発明におけるケースには単一のケースからなる場合も包含するものである。例えば、単一のケースを蓋部で閉塞する場合も本発明のケースに包含される。
【００４５】
以上説明したように、本発明の最も好ましい実施の形態等について説明したが、本発明は、上記記載に限定されるものではなく、特許請求の範囲に記載され、又は発明の詳細な説明に開示された発明の要旨に基づき、当業者において様々な変形や変更が可能であることは勿論であり、係る変形や変更が、本発明の範囲に含まれることは言うまでもない。
【００４６】
【発明の効果】
以上説明したように、本発明によれば、次の効果が得られる。
（１）  スピーカの前面出力及び背面出力を取り出して放音させることができ、利便性の高い放音構造を提供できる。
（２）  スピーカの出力をケース内部材に遮られることなく、導音孔を通して効率よく導き、放音させることができる。
（３）  本発明の携帯端末において、ケース内部材にスピーカを支持するスピーカ支持部材を備え、このスピーカ支持部材をケースに内蔵された配線基板に固定した構成とすれば、配線基板にスピーカ支持部材によってスピーカを実装できるので、スピーカの実装を容易化することができる。
（４）  本発明の携帯端末において、導音孔は、気密性を持つ筒部で構成すれば、ケース内へのスピーカの背面出力の漏洩を防止できる。
（５）  本発明の携帯端末において、スピーカの背面側を覆うスピーカ支持部材にスピーカの背面側面積より小さい面積の導音孔を形成すれば、スピーカの前面出力を損なうことなく、背面出力を導音孔を通して放音させることができる。
【図面の簡単な説明】
【図１】折り畳み可能な携帯電話機の開いた状態を示す図である。
【図２】閉じた状態の携帯電話機を示す図である。
【図３】本発明の実施形態に係る携帯電話機を示す斜視図である。
【図４】携帯電話機の操作部を示す分解斜視図である。
【図５】操作部の放音部を示す図である。
【図６】スピーカホルダのスピーカ取付部及び導音孔を示す図である。
【図７】操作部の導音構造を示す分解斜視図である。
【図８】操作部の導音構造を示す分解斜視図である。
【図９】操作部の導音構造を示す縦断面図である。
【符号の説明】
３０  携帯電話機
４８  ケース
５０  前面ケース
５２  背面ケース
６２  配線基板
６４  スピーカホルダ（スピーカ支持部材）
７８  スピーカ
８６  放音孔（第１の放音部）
８８  放音孔（第２の放音部）
９０  導音孔
【図１】
2005006205.tif 000003
【図２】
2005006205.tif 000004
【図３】
2005006205.tif 000005
【図４】
2005006205.tif 000006
【図５】
2005006205.tif 000007
【図６】
2005006205.tif 000008
【図７】
2005006205.tif 000009
【図８】
2005006205.tif 000010
【図９】
2005006205.tif 000011